(57)【要約】【課題】騒音が上昇することや音質を損なうことなくエンクロージャの内気温度を下げることができるアンプ内蔵スピーカーシステムを提供すること。【解決手段】本発明のアンプ内蔵スピーカーシステムは、エンクロージャ２に設けられたスピーカーユニット３と、エンクロージャ２に内蔵された内蔵アンプ４を介し予め定めた低周波の信号Ｓをスピーカーユニット３に出力する信号出力手段５とを備え、予め定めた低周波の信号Ｓによりスピーカーユニット３を作動させてエンクロージャ２の内気を循環させる構成を有している。【選択図】　　　図１
2004146985.tif 000002
【特許請求の範囲】
【請求項１】
エンクロージャに設けられたスピーカーユニットと、前記エンクロージャに内蔵された内蔵アンプを介し予め定めた低周波の信号を前記スピーカーユニットに出力する信号出力手段とを備えたことを特徴とするアンプ内蔵スピーカーシステム。
【請求項２】
前記エンクロージャの内気温度を検出する内気温度検出手段を備え、前記内気温度検出手段が検出した内気温度が予め定めた温度値を超えたとき、前記信号出力手段が前記低周波の信号を前記内蔵アンプに出力することを特徴とする請求項１に記載のアンプ内蔵スピーカーシステム。
【請求項３】
前記エンクロージャが、バスレフポートを有することを特徴とする請求項１または請求項２に記載のアンプ内蔵スピーカーシステム。
【請求項４】
前記低周波の信号が、前記バスレフポートの共振周波数より低い周波数の信号であることを特徴とする請求項１から請求項３までの何れかに記載のアンプ内蔵スピーカーシステム。
【請求項５】
前記スピーカーユニットの共振周波数が、前記バスレフポートの共振周波数より低く、かつ前記低周波の信号が、正弦波であることを特徴とする請求項４に記載のアンプ内蔵スピーカーシステム。
【請求項６】
前記低周波の信号が、人間の可聴周波数帯域外の周波数であることを特徴とする請求項１から請求項３までの何れかに記載のアンプ内蔵スピーカーシステム。
【発明の詳細な説明】
【０００１】
【発明の属する技術分野】
本発明は、エンクロージャの内部にアンプを内蔵するアンプ内蔵スピーカーシステムに関し、特に、騒音が上昇することや音質を損なうことなくエンクロージャの内気温度を下げることができるアンプ内蔵スピーカーシステムに関する。
【０００２】
【従来の技術】
従来のアンプ内蔵スピーカーシステムは、エンクロージャの内部にアンプを内蔵するもので、内蔵アンプの発熱の問題から出力容量を大きくすることができず、所望の出力が得られない場合があった（例えば特許文献１参照）。
【０００３】
そのため、従来のアンプ内蔵スピーカーシステムは、ファンなどの強制冷却機構をエンクロージャの内部に設け、内気温度を下げることが行われているものもあるが、強制冷却機構を設けた場合、エンクロージャ内のスピーカーユニットによる音や振動の背圧から強制冷却機構が破損を来したり、強制冷却機構により騒音が上昇しスピーカーの音質が損なわれたりすることがあった。
【０００４】
【特許文献１】
特開２００１−２８７９７号公報
【０００５】
【発明が解決しようとする課題】
本発明は、このような従来の問題を解決するためになされたもので、騒音が上昇することや音質を損なうことなくエンクロージャの内気温度を下げることができるアンプ内蔵スピーカーシステムを提供するものである。
【０００６】
【課題を解決するための手段】
本発明のアンプ内蔵スピーカーシステムは、エンクロージャに設けられたスピーカーユニットと、前記エンクロージャに内蔵された内蔵アンプを介し予め定めた低周波の信号を前記スピーカーユニットに出力する信号出力手段とを備えた構成を有している。
【０００７】
この構成により、予め定めた低周波の信号によりスピーカーユニットを作動させてエンクロージャの内気を循環させ、騒音が上昇することや音質を損なうことなくエンクロージャの内気温度を下げることができる。
【０００８】
また、本発明のアンプ内蔵スピーカーシステムは、前記エンクロージャの内気温度を検出する内気温度検出手段を備え、前記内気温度検出手段が検出した内気温度が予め定めた温度値を超えたとき、前記信号出力手段が前記低周波の信号を前記内蔵アンプに出力する構成を有している。
【０００９】
この構成により、より少ない電力で効率的にエンクロージャの内気温度を下げることができる。
【００１０】
また、本発明のアンプ内蔵スピーカーシステムは、前記エンクロージャが、バスレフポートを有する構成を有している。
【００１１】
この構成により、エンクロージャの内気と外気を循環させることもでき、より効率的にエンクロージャの内気温度を下げることができる。
【００１２】
また、本発明のアンプ内蔵スピーカーシステムは、前記低周波の信号が、前記バスレフポートの共振周波数より低い周波数の信号である構成を有している。
【００１３】
この構成により、予め定めた低周波の信号の信号音は聞こえ難くすることができる。
【００１４】
また、本発明のアンプ内蔵スピーカーシステムは、前記スピーカーユニットの共振周波数が、前記バスレフポートの共振周波数より低く、かつ前記低周波の信号が、正弦波である構成を有している。
【００１５】
この構成により、予め定めた低周波の信号の信号音は確実に聞こえ難くすることができ、また、より効果的にエンクロージャの内気温度を下げることもできる。
【００１６】
さらに、本発明のアンプ内蔵スピーカーシステムは、前記低周波の信号が、人間の可聴周波数帯域外の周波数である構成を有している。
【００１７】
この構成により、予め定めた低周波の信号の信号音は確実に聞こえ難くすることができる。
【００１８】
【発明の実施の形態】
以下、本発明の実施の形態について、図面を用いて説明する。
【００１９】
図１は、本発明の第１の実施の形態のアンプ内蔵スピーカーシステムの構成図を示す。
【００２０】
図１に示すように、本発明の第１の実施の形態のアンプ内蔵スピーカーシステム１は、エンクロージャ２に設けられたスピーカーユニット３と、エンクロージャ２に内蔵された内蔵アンプ４と、エンクロージャの内気温度を下げるための低周波の信号Ｓを内蔵アンプ４を介しスピーカーユニット３に出力する信号出力手段５とで構成されている。
【００２１】
次に、本発明の第１の実施の形態のアンプ内蔵スピーカーシステム１の動作について説明する。
【００２２】
内蔵アンプ４から出力されたオーディオ信号によりスピーカーユニット３が作動しているとき、信号出力手段５は、常時、バスレフポート８の共振周波数より低い低周波の信号Ｓを内蔵アンプ４に出力する。内蔵アンプ４は、入力した低周波の信号Ｓを増幅しスピーカーユニット３に出力する。スピーカーユニット３は、低周波の信号Ｓにより振動状態で動作し、エンクロージャ２のバスレフポート８を介してエンクロージャ２の内気と外気とを循環させ、エンクロージャ８の内気温度を下げることが行われる。なお、低周波の信号Ｓは、正弦波としてスピーカーユニット３を振動状態で動作させ、エンクロージャ２の内気と外気とを効果的に循環させることができる。
【００２３】
図２は、本発明の第１の実施の形態のアンプ内蔵スピーカーシステムにおけるエンクロージャ２のインピーダンス特性図を示す。
【００２４】
図２に示すように、本発明の第１の実施の形態のアンプ内蔵スピーカーシステムは、スピーカーユニット３の共振周波数１８がバスレフポート８の共振周波数１９よりも低く設定され、低周波の信号Ｓの周波数は、バスレフポートの共振周波数１９より低く設定されている。
【００２５】
そのため、低周波の信号Ｓによりスピーカーユニット３が作動するとき、特に、スピーカーユニット３の共振周波数１８の近辺の周波数が使用されるときには、効果的にエンクロージャ２の内気温度を下げることができる。また、低周波の信号Ｓは、バスレフポート８の共振周波数１９より低く設定しているため、音声として再生され難く、騒音が上昇することや音質を損なうことを確実に防止することができる。
【００２６】
以上説明したように、本発明の第１の実施の形態のアンプ内蔵スピーカーシステム１は、低周波の信号Ｓによりスピーカーユニット３が動作しエンクロージャ２の内気と外気との循環が行われ、エンクロージャ８の内気温度を下げることができる。また、低周波の信号Ｓは、音声として再生され難く、騒音が上昇することや音質を損ない難くすることもできる。
【００２７】
図３は、本発明の第２の実施の形態のアンプ内蔵スピーカーシステムの構成図を示す。
【００２８】
図３に示すように、本発明の第２の実施の形態のアンプ内蔵スピーカーシステム２１は、エンクロージャ２２に設けられたスピーカーユニット２３と、エンクロージャ２２に内蔵された内蔵アンプ２４と、エンクロージャ２２の内気温度を下げるための低周波の信号Ｓを内蔵アンプ４を介しスピーカーユニット２３に出力する信号出力手段２５と、内気温度を検出する内気温度検出手段２７とで構成されている。
【００２９】
次に、本発明の第２の実施の形態のアンプ内蔵スピーカーシステム２１の動作について説明する。
【００３０】
内蔵アンプ２４よりのオーディオ信号によりスピーカーユニット２３が作動しているとき、内気温度検出手段２７は、エンクロージャ２２の内気温度Ｔを検出し、信号出力手段２５に出力する。信号出力手段２５は、内気温度Ｔが予め設定した内気温度の設定値より高くなったとき、バスレフポート２８の共振周波数より低い低周波の信号Ｓを内蔵アンプ２４に出力する。内蔵アンプ２４は、入力した低周波の信号Ｓを増幅しスピーカーユニット３に出力する。スピーカーユニット２３は、低周波の信号Ｓにより振動状態で動作し、エンクロージャ２２のバスレフポート２８を介してエンクロージャ２２の内気と外気とを循環させ、エンクロージャ２８の内気温度を下げることが行われる。なお、低周波の信号Ｓは、正弦波としてスピーカーユニット２３を振動状態で動作させ、エンクロージャ２２の内気と外気とを効果的に循環させることができる。
【００３１】
本発明の第２の実施の形態のアンプ内蔵スピーカーシステムは、本発明の第１の実施の形態のアンプ内蔵スピーカーシステムと同様に、スピーカーユニット２３の共振周波数がバスレフポート２８の共振周波数よりも低く設定され、低周波の信号Ｓの周波数は、バスレフポート２８の共振周波数より低く設定されている。
【００３２】
そのため、エンクロージャ２２の内気温度Ｔが予め設定した設定値より高くななり、低周波の信号Ｓによりスピーカーユニット２３が作動するとき、特に、スピーカーユニット２３の共振周波数の近辺の周波数が使用されるときには、効果的にエンクロージャ２２の内気温度を下げることができる。また、低周波の信号Ｓは、バスレフポート２８の共振周波数より低く設定しているため、音声として再生され難く、騒音が上昇することや音質を損なうことを確実に防止することができる。
【００３３】
以上のように、本発明の第１の実施の形態のアンプ内蔵スピーカーシステム２１は、エンクロージャ２２の内気温度Ｔが高くなったとき、低周波の信号Ｓによりスピーカーユニット２３が動作しエンクロージャ２２の内気と外気との循環が効率的に行われ、エンクロージャ２２の内気温度を下げることができる。また、低周波の信号Ｓは、音声として再生され難く、騒音が上昇することや音質を損ない難くすることもできる。
【００３４】
なお、本発明の第１と第２の実施の形態のアンプ内蔵スピーカーシステムでは、エンクロージャにバスレフポートを設けたオープン型につき説明したが、これに限定されることなく、エンクロージャにはバスレフポートを設けない密閉型についても、同様にして内気を循環させ、騒音が上昇することや音質を損なうことなくエンクロージャの内気温度を下げることもできる。
【００３５】
【発明の効果】
以上説明したように、本発明は、低周波の信号によりスピーカーユニットを作動させてエンクロージャの内気を循環させ、騒音が上昇することや音質を損なうことなくエンクロージャの内気温度を下げることができる。
【図面の簡単な説明】
【図１】本発明の第１の実施の形態のアンプ内蔵スピーカーシステムの構成図
【図２】本発明の第１の実施の形態のアンプ内蔵スピーカーシステムにおけるエンクロージャのインピーダンス特性図
【図３】本発明の第２の実施の形態のアンプ内蔵スピーカーシステムの構成図
【符号の説明】
１、２１　アンプ内蔵スピーカーシステム
２、２２　エンクロージャ
３、２３　スピーカーユニット
４、２４　内蔵アンプ
５、２５　信号出力手段
７　内気温度検出手段
１８　スピーカーユニットの共振周波数
１９　バスレフポートの共振周波数
【図１】
2004146985.tif 000003
【図２】
2004146985.tif 000004
【図３】
2004146985.tif 000005